(57)【要約】【課題】カメラのフィルムを圧板に吸着して平面性を向上させるカメラにおいて、フィルムの吸着を確実なものにするとともに、消費電力を低減する。【解決手段】カメラボディ１を開閉する裏蓋３に設けられた圧板３１と、圧板３１の背後に区画形成されたエアー室３２と、フィルムの露光が行われる領域の背後を除く領域に配置され、エアー室３２のエアーを排出可能なモータファン３６と、エアー室３２に連通されてフィルムＦを圧板３１に吸着させる複数の吸気孔３３と、モータファン３６のエアー排出能力を変化制御する制御手段とを備え、制御手段は、第１のエアー排出能力でフィルムＦの吸着動作を行ない、所定時間を経過してもフィルムＦの吸着が行われないときには、エアー排出能力の高い第２のエアー排出能力でフィルムの吸着動作を行う。【選択図】  図３
2004219442.tif 000002
【特許請求の範囲】
【請求項１】
フィルムの露光が行われる領域の背面に沿って配置され、当該フィルムの背面に当接されてフィルムを平面状態に保持させるための圧板と、前記圧板の背後に区画形成されたエアー室と、前記フィルムの露光が行われる領域の背後を除く領域に配置され、前記エアー室のエアーを外部に排出可能なエアー排出手段と、前記露光が行われる領域の前記圧板に配設され、前記エアー室に連通されて前記フィルムを前記圧板に吸着させる複数の吸気孔と、前記エアー排出手段のエアー排出能力を変化制御する制御手段とを備え、前記制御手段は、第１のエアー排出能力でフィルムの吸着動作を行ない、所定時間を経過してもフィルムの吸着が行われないときには、前記第１のエアー排出能力よりもエアー排出能力の高い第２のエアー排出能力でフィルムの吸着動作を行うように構成されていることを特徴とするカメラのフィルム平面保持構造。
【請求項２】
前記制御手段は、前記フィルムが前記圧板に吸着された後は前記第１のエアー排出能力よりもエアー排出能力の低い第３のエアー排出能力で吸着を行うように構成されていることを特徴とする請求項１に記載のカメラのフィルム平面保持構造。
【請求項３】
前記制御手段は、前記第２のエアー排出能力で所定時間のフィルム吸着を行ってもフィルムの吸着が行われないときには、前記エアー排出手段の動作を停止させるように構成されていることを特徴とする請求項１に記載のカメラのフィルム平面保持構造。
【請求項４】
前記エアー排出手段はモータファンで構成され、前記制御手段は前記モータファンの回転数を検出してエアー排出能力を変化制御する構成である請求項１ないし３のいずれかに記載のカメラのフィルム平面保持構造。
【請求項５】
前記エアー排出手段はモータファンで構成され、前記制御手段は前記モータファンの駆動電流を検出してエアー排出能力を変化制御する構成である請求項１ないし３のいずれかに記載のカメラのフィルム平面保持構造。
【請求項６】
前記制御手段は、前記エアー排出手段の第１、第２の各エアー排出能力でそれぞれフィルムを吸着する際の前記モータファンの回転数、モータ電流を予め基準値として設定しておき、前記所定時間を経過したときの前記モータファンの回転数、モータ電流を前記基準値と比較してフィルムの吸着を判定するように構成されていることを特徴とする請求項１ないし５のいずれかに記載のカメラのフィルム平面保持構造。
【請求項７】
前記エアー排出手段は正逆転可能なモータファンで構成され、フィルムを吸着する際には前記エアー室のエアーを外部に排気する方向に回転駆動され、フィルムを移送する際には外部のエアーを前記エアー室に供給する前記と反対方向に回転可能に構成されていることを特徴とする請求項１ないし６のいずれかに記載のカメラのフィルム平面性保持構造。
【発明の詳細な説明】
【０００１】
【発明の属する技術分野】
本発明はカーリングし易いフィルムを用いるカメラにおいて、当該フィルムの平面性を向上させるためのフィルム平面保持構造に関するものである。
【０００２】
【従来の技術】
３５ミリフィルムやブローニフィルム等のロールフィルムは巻き癖によってフィルムの平面性を確保することが難しく、フィルムに対して撮影を行ったときに当該巻き癖やカーリングによって撮影画像に歪やピンボケが生じてしまう。このようなフィルムの巻き癖やカーリング（以下、これらを総称してカーリングと称する）を解消してフィルムの平面性を確保するための技術として、従来から真空吸引を利用したフィルム平面保持技術が提案されている。
【０００３】
例えば、特許文献１では、フィルム吸引機構として、フィルムの露光領域の背後に沿って平坦に加工された圧板を配置し、この圧板の背後に流入空間を形成するとともに、当該圧板に流入空間に通じる吸気孔を開口する。また、この流入空間に吸入弁を介して連通される調圧室をゴム枠材を用いて形成し、モータの回転によって偏心軸を中心に回転体を回転させ、この回転体によってゴム枠材を押圧して調圧室の体積を変化させる吸引ポンプを構成している。この吸引ポンプの動作によって調圧室の体積が増加したときには調圧室に連通して設けられた排出弁を通してエアーを外部に排出し、体積が減少したときには吸入弁を通してエアーを調圧室に流入させることで、流入空間のエアー圧を低減させ、吸気孔によりフィルムを圧板に吸引して密着状態とし、フィルムの平面性を向上している。
【０００４】
【特許文献１】特開２００１−１８３７２９号公報
【０００５】
【発明が解決しようとする課題】
このように特許文献１の技術では、フィルムの平面性を向上する上で有効であるが、本発明者がさらなる研究を行ったところ、次のような改善すべき点が見いだされた。それは、特許文献１の技術では、圧板の背後に流入空間が形成され、この流入空間の背後に調圧室が配設され、さらに調圧室の背面に設けられたゴム枠材を押圧してポンプ作用を行うように構成されている。このため、圧板の背後に流入空間、調圧室、吸引ポンプを配置するためのスペースが必要であり、圧板の厚み方向の寸法、すなわちカメラの前後方向の寸法が大きくなってしまい、中判以上のカメラへの適用は可能であっても、３５ミリフィルムカメラ等の小型カメラへの適用が難しくなる。
【０００６】
特許文献１では吸引動作が間欠駆動であるため、カーリングによるフィルムと圧板との隙間が大きい場合には、フィルムを圧板に吸引できないことがある。十分な吸引力を得るために高速駆動するとゴム枠部の耐久性が問題となる。また、特許文献１の技術では、流入空間のエアー圧が時間の経過と共に減圧が進行されるため、フィルム吸引動作の初期においてフィルムの一部にカーリングした部分が存在していると、フィルムがカーリングした状態のまま全ての吸気孔がフィルムによって塞がれて圧板に対して密着されてしまい、フィルムの可撓性及び剛性によってフィルムが平面方向に伸びながら圧板に密着しようとする性質（以下、この性質を自己整合性と称する）を期待することができなくなり、フィルムの平面性が逆に悪化してしまうことがある。
【０００７】
また、フィルムが吸着された後も同じ条件でポンプを継続して動作させると、電池の消耗が顕著になる。この場合、適宜なセンサを設ける等してフィルムの吸着を検出し、フィルムの吸着を検出したときにポンプの動作を停止させることが考えられるが、これではフィルムが吸着されない場合には永久的にポンプが駆動してしまうことになり、フィルムの平面性を改善する効果が得られない反面で、電池の消費電力がいたずらに大きくなり、電池寿命が短くなるという問題が生じることになる。
【０００８】
本発明の目的は、圧板の背後の厚み方向の寸法を低減し、３５ミリフィルムカメラ等の小型フィルムカメラへの適用を可能にするとともに、フィルムの圧板への吸着を確実なものにし、その一方で電池の消費電力の削減を図ったフィルム平面保持構造を提供するものである。
【０００９】
【課題を解決するための手段】
本発明は、フィルムの露光が行われる領域の背面に沿って配置され、当該フィルムの背面に当接されてフィルムを平面状態に保持させるための圧板と、圧板の背後に区画形成されたエアー室と、フィルムの露光が行われる領域の背後を除く領域に配置されてエアー室のエアーを外部に排出可能なエアー排出手段と、圧板に配設され、エアー室に連通されてフィルムを圧板に吸着させる複数の吸気孔と、エアー排出手段のエアー排出能力を変化制御する制御手段とを備えており、制御手段は、第１のエアー排出能力でフィルムの吸着動作を行ない、所定時間を経過してもフィルムの吸着が行われないときには、第１のエアー排出能力よりもエアー排出能力の高い第２のエアー排出能力でフィルムの吸着動作を行うように構成される。
【００１０】
また、本発明は、制御手段は、フィルムが圧板に吸着された後は第１のエアー排出能力よりもエアー排出能力の低い第３のエアー排出能力で吸着を行うように構成される。さらに、制御手段は、第２のエアー排出能力で所定時間のフィルム吸着を行ってもフィルムの吸着が行われないときには、エアー排出手段の動作を停止させるように構成される。
【００１１】
例えば、エアー排出手段はモータファンで構成され、制御手段はモータファンの回転数を検出して、あるいはモータ電流を検出してエアー排出能力を変化制御する。この場合において、制御手段は、エアー排出手段の第１、第２の各エアー排出能力でそれぞれフィルムを吸着する際のモータファンの回転数、モータ電流を予め基準値として設定しておき、所定時間を経過したときのモータファンの回転数、モータ電流を基準値と比較してフィルムの吸着を判定するように構成される。
【００１２】
本発明によれば、圧板に設けた吸気孔においてフィルムを吸引するためのエアー排出手段を、当該フィルムの露光が行われる領域の背後を除く領域に配置しているので、圧板の背後のスペースを低減してカメラ前後方向の寸法を縮小し、小型カメラへの適用が可能になる。また、第１のエアー排出能力で所定時間のフィルム吸着を継続させるため、フィルムの自己整合性による平面性の確保が可能になる。また、第１のエアー排出能力でのフィルムの吸着が行われないときには、排気能力の大きい第２のエアー排出能力に切り替えることで、フィルムを吸着する可能性を高めることが可能になる。さらに、フィルムの吸着が行われた後はエアー排出能力の小さい第３のエアー排出能力に切り替えることで電池の消費を抑制することが可能になる。
【００１３】
【発明の実施の形態】
次に、本発明の実施形態を図面を参照して説明する。図１は本発明を３５ミリフィルム（１３５フィルム）を用いる一眼レフカメラに適用した実施形態の裏蓋を開いた状態の外観斜視図である。カメラボディ１は前面に撮影レンズ２が着脱可能に装着され、上面にはファインダ部１１、ＬＣＤ表示部１２、レリーズボタン１３、その他の各種スイッチ１４等が配設されている。また、カメラボディ１の左右方向の一側部にはカメラボディ１の背面に対して開閉可能な裏蓋３が図外のヒンジにより連結されている。前記カメラボディ１の背面には、左右の両端部にパトローネ室１０１とスプール室１０２が設けられており、このパトローネ室１０１とスプール室１０２の間にはフィルムに対して露光を行うためのアパーチャ１０３が配設されるとともに、このアパーチャ１０３の上下には３５ミリフィルムの幅寸法よりも若干大きい上下間隔を有してそれぞれ左右方向に延びる一対のガイドレール１０４が微小寸法で突出形成されている。
【００１４】
ここで、前記ガイドレール１０４は前記３５ミリフィルムＦの厚みよりも若干大きい寸法で突出されており、後述するように前記裏蓋を閉じたときに圧板の前面が当接され、カメラボディ１の背面と圧板との間に３５ミリフィルムが移送される微小間隙のトンネルを形成するようになっている。そして、前記パトローネ室１０３に装填されるパトローネＰ（図３参照）から引き出された３５ミリフィルムＦはガイドレール１０４によって幅方向（上下方向）が拘束されながら移送され、アパーチャ１０３に対向する位置で露光が行われ、さらにスプール室１０２に内装されているスプール１０５に巻き上げられるようになっている。
【００１５】
一方、前記裏蓋３はヒンジを支点にして前記カメラボディ１の背面を開閉可能とされており、閉じたときには前記カメラボディ１の背面を遮光状態に覆うとともに、前記カメラボディ１の他側部に設けられた図外のロック機構によってカメラボディ１にロックされる。また、前記裏蓋３の内面の前記アパーチャ１０３に対応する領域には前面が平坦に加工された台状の圧板３１が一体的に設けられている。この圧板３１は前述のように前記ガイドレール１０４の先端面に当接されて３５ミリフィルムを移送させるための微小間隙のトンネルを形成するとともに、３５ミリフィルムＦに対して露光を行う際には当該３５ミリフィルムＦの背面に密接してフィルムの平面性を保持するようになっている。
【００１６】
前記裏蓋３の詳細を説明する。図２は前記裏蓋３を背面側から見たときの内部構成を透視的に見た概略図、図３は裏蓋を閉じた状態のカメラのほぼ中央高さ位置の概略断面図、図４（ａ）はアパーチャの左右方向のほぼ中央位置の概略断面図である。これらの図に示すように、前記裏蓋３には前記したように圧板３１が一体に形成されており、この圧板３１の背後で、かつ少なくとも前記アパーチャ１０３の寸法よりも大きな領域の裏蓋３の内部には、カメラの前後方向には小さい寸法をした矩形のエアー室３２が形成されている。そして、前記圧板３１の前面の少なくとも前記アパーチャ１０３に対向する領域には前記エアー室３２に連通される複数の微小径の吸気孔３３が点在配置されている。また、前記エアー室３２に隣接して前記パトローネ室１０１に対応する領域の裏蓋３の内部にはエアー室３２よりも外形寸法が小さくされたエアー通路３４がエアー室３２と連通状態に形成されている。このエアー通路３４には裏蓋３の背面に開口されたエアー排出口３５が配設されており、このエアー排出口３５にはモータを回転駆動源とするエアー排出手段としてのエアーファン（以下、モータファンと称する）３６が取り付けられ、モータファン３６の回転によってエアー通路３４を通して前記エアー室３２のエアーをエアー排出口３５から外部に強制排気できるようになっている。一方、モータファン３６は逆回転されたときにはカメラ外部のエアーをエアー排出口３５からエアー通路３４を通してエアー室３２に供給することが可能である。
【００１７】
前記エアー室３２とエアー通路３４との境界には、図５に一部を破断して示すように、矩形の枠３７１内に横断面が「く」字型をした複数のルーバ３７２を微小間隔で配列した遮光ルーバ３７が配設されており、エアー室３２とエアー通路３４との間のエアーの通流を可能にする一方で、エアー通路３４側から進入されてきた光がエアー室３２に漏れ込むことが無いようになっている。また、前記エアー排出口３５にはエアーを通流することが可能な一方で塵埃がエアー通路３４及びエアー室３２に侵入することを防止する防塵フィルタ３８が設けられている。
【００１８】
前記モータファン３６は、図６に示すように、矩形をしたケーシング３６１内に図には表れないモータ及び当該モータによって回転される送風羽根３６２が内装されたものであり、例えばコンピュータ等の冷却用ファンとして用いられる超小型のモータファンを利用することが可能である。また、前記モータファン３６には当該モータファン３６の回転速度を検出するためのインタラプタ３９が付設されている。このインタラプタ３９は、モータファン３６の回転軸３６３と一体に設けられ、円周一部に透孔３９２が開口された回転板３９１と、この回転板３９１を板厚方向に挟むように発光素子と受光素子を配置し、発光素子で発光された光を前記透光を通して受光素子で受光したときに電気信号を出力する光検出素子３９３とで構成されており、この光検出素子３９３から出力される電気信号のパルス周波数が回転軸３６３の回転速度に対応して変化することを利用してモータファン３６の回転速度の検出を行うものである。
【００１９】
このように、この実施形態のカメラでは、エアー排出手段としてのモータファン３６をカメラボディ１のアパーチャ１０３の背後に配置形成したエアー室３２には内装配置していないので、エアー室３２のカメラ前後方向（撮影レンズ２の光軸と平行方向）の寸法がモータファン３６によって増大されることはない。同時に、モータファン３６をパトローネ室１０１の背後に設けたカメラ前後方向の寸法が小さいエアー通路３４のエアー排出口３５に臨む位置に設けたことで、この領域におけるカメラ前後方向の寸法の増大も回避できる。この結果、カメラ全体の前後方向の寸法を抑制でき、小型カメラ、例えば、３５ミリフィルム用のカメラへの適用が可能になる。
【００２０】
図７は前記モータファン３６を含む前記カメラの電気回路構成、特にここでは本発明に関連する部分の回路構成を示すブロック図である。ＣＰＵ４０１には、メインスイッチ（電源スイッチ）４１１、レリーズボタン１３の半押し、全押で動作する測光スイッチ４１２及びレリーズスイッチ４１３、連写撮影を行う際にオンされる連写スイッチ４１４が接続される。また、測光回路４２１、測距回路４２２からの測光データ、測距データが入力されるとともに、前記レリーズボタン１３の押下操作に伴って、フィルム巻き上げ回路４３１、シャッタ回路４３２、絞り回路４３３、ＡＦ（自動焦点）回路４３４を制御して、巻き上げモータ４４１を駆動してフィルムの巻き上げ等のフィルム移送や、シャッタ装置４４２、絞り装置４４３、ＡＦ装置４４４を駆動してフィルムに対する露光を行うようになっている。さらに、ファン回路部４５０として、パルス幅に対応してモータファン３６に印加する電圧を制御するドライバＩＣ４５１により前記モータファン３６を駆動し、その一方でモータファン３６の回転速度を検出する前記インタラプタ３９の出力をＦ／Ｖ（周波数／電圧）変換器４５２によって電圧に変換し、変換した電圧をＡ／Ｄ（アナログ／デジタル）変換器４５３によってデジタル変換されたデータを取り込むようになっている。
【００２１】
図８は前記カメラの撮影動作を説明するためのメインのフローチャートであり、カメラの撮影動作に必要とされる一連の動作のうち、撮影時におけるフィルムの平面性を保持する動作についてのみ示している。ここでは、既にフィルム巻き上げ回路４３１及びフィルム巻き上げモータ４４１によってフィルムの巻き上げに伴うフィルム先頭出しが行われており、あるいは前回の撮影後にフィルムの次に撮影する領域がアパーチャ１０３に対応する領域にまで巻き上げられているものとする。レリーズボタン１３が半押しされて測光スイッチ４１２がオンされると（Ｓ１０１）、連写スイッチ４１４の状態から連写撮影であるか否かが判定される（Ｓ１０２）。連写でない場合には、フィルム吸着フローが行われる（Ｓ１０３）。
【００２２】
すなわち、図９にフィルム吸着フローを示すように、ＣＰＵ４０１から予め設定された電圧パワーＰ１に対応するＰＷＭ（パルス幅変調）デューティ比のＰＷＭ−Ｐ１信号がドライバＩＣ４５１に入力され、ドライバＩＣ４５１はこれを受けて当該ＰＷＭ−Ｐ１信号のデューティ比に対応する電圧をモータファン３６に供給する（Ｓ２０１）。図１０にタイミング図を示すように、モータファン３６は回転が開始され、徐々に回転数（単位時間当たりの回転数、以下同様）が増大されてモータファン３６の時定数の時間でＰＷＭ−Ｐ１信号により設定された回転数に達する。これにより、エアー室３２のエアーは遮光ルーバ３７、エアー通路３４、防塵フィルタ３８を通してエアー排出口３５から外部に排出され、エアー室３２のエアー圧は徐々に減圧されて行く。したがって、エアー室３２のエアー圧の減圧に伴って、エアー室３２に開口されている吸気孔３３がフィルムの吸引動作を行うようになり、図４（ｂ）に示すように、アパーチャ１０３位置にあるフィルムＦは吸気孔３３によって吸引されて圧板３１に吸着され、平坦な圧板３１の表面にならってアパーチャ１０３に対応する領域のフィルム平面性が保持される。
【００２３】
そして、フィルムＦが圧板３１に適正に吸着されると、全ての吸気孔３３が塞がれるためモータファン３６のエアー排出に伴う負荷が増大され、モータファン３６の回転数は徐々に低下してゆく。フィルムが圧板３１に吸着されるまでの時間を予め実験により求めておき、この時間よりも若干長い時間をＴ１時間として設定しておき、モータファン３６の回転駆動を開始した時点からこのＴ１時間を経過したときにモータファン３６の回転数を検出し（Ｓ２０２）、この検出値Ｒｓを予め設定していた基準回転数Ｒｃｋ１と比較する（Ｓ２０３）。この基準回転数Ｒｃｋ１は、ＰＷＭ−Ｐ１信号でフィルムを吸着したときの回転数であり、予め実験等によって設定されるものである。Ｒｓ＜Ｒｃｋ１のときには、前述のようにフィルムＦの吸着に伴うモータファン３６の負荷の増大によって回転数が低下されており、フィルムＦが適正に吸着されたものと判定する。したがって、以降はフィルムＦが吸着されるのに十分なエアー排出能力を確保すれば十分であるので、ＣＰＵ４０１からのＰＷＭ信号として電圧パワーを低下したエアー排出能力の低いＰＷＭ−Ｐ３信号に切り替える（Ｓ２０４）。これにより、モータファン３６に供給する電力を低減し、電池の消費電力を低減する。
【００２４】
一方、ステップＳ２０３において、Ｒｓ＜Ｒｃｋ１でないときには、モータファン３６の回転数が低下されていないこと、すなわちフィルムＦが圧板３１に完全に吸着されておらず、フィルムＦと吸気孔３３との間に隙間があって吸気孔３３を通してエアー室３２に洩れが生じていることと判定される。このときには、図１１にタイミング図を示すように、ＰＷＭ信号の電圧パワーをＰ１よりも増大したエアー排出能力の高いＰＷＭ−Ｐ２信号に切り替える（Ｓ２０５）。これにより、モータファン３６は回転数が増大され、当該ＰＷＭ−Ｐ２信号に対応した回転数まで増大される。そしてこのエアー排出能力の増大により、フィルムＦが圧板３１に適正に吸着されると、全ての吸気孔３３が塞がれるためモータファン３６のエアー排出に伴う負荷が増大され、モータファン３６の回転数は徐々に低下してゆく。このＰＷＭ−Ｐ２信号によってフィルムＦが圧板３１に吸着されるまでの時間を予め実験により求めておき、この時間よりも若干長い時間をＴ２として設定しておき、ＰＷＭ−Ｐ２信号に切り替えた時点からこのＴ２時間を経過したときに（Ｓ２０６）、モータファン３６の回転数を検出し、この検出値Ｒｓを予め設定した基準回転数Ｒｃｋ２と比較する（Ｓ２０７）。この基準回転数Ｒｃｋ２は、ＰＷＭ−Ｐ２信号でフィルムを吸着したときの回転数であり、予め実験等によって設定されるものである。そして、Ｒｓ＜Ｒｃｋ２のときにフィルムＦが適正に吸着されたものと判定し、以降はフィルムＦが吸着されるのに十分なエアー排出能力を確保すればよく、ＰＷＭ信号の電圧パワーを低下して前記したＰＷＭ−Ｐ３信号に切り替える（Ｓ２０４）。これにより、モータファン３６に供給する電力を低減し、電池の消費電力を低減する。
【００２５】
さらに、ステップＳ２０７において、Ｒｓ＜Ｒｃｋ２を満たさないときには、もはやフィルムＦを圧板３１に好適に吸着することは難しいものと判定し、図１２にタイミング図を示すように、Ｔ２時間を経過した時点でＰＷＭ信号の出力を停止し、あるいは電圧が０に相当するＰＷＭ信号を出力し、モータファン３６の回転を停止させ、以降でのフィルム吸着動作を停止する（Ｓ２０８）。
【００２６】
以上の吸着フローが終了すると、図８に示したように、レリーズスイッチ４１３がオンされるか否かを判定し（Ｓ１０４）、オンされないときには、再度測光スイッチ４１２を確認し（Ｓ１０５）、測光スイッチ４１２がオンのときにはレリーズスッチ４１３がオンされるのを待機する。ここで、測光スイッチ４１２がオフされているときにはモータファン３６が回転されているときにはモータファン３６の回転駆動を停止した上で（Ｓ１０６）、ステップＳ１０１に戻る。モータファン３６の回転駆動を停止するには、ドライバＩＣ４５１からモータファン３６に供給する電圧が０となるようにＣＰＵ４０１からＰＷＭ信号を出力すればよい。次いで、レリーズボタン１３が全押しされてレリーズスイッチ４１３がオンされると、レリーズシーケンスを実行する（Ｓ１０７）。すなわち、詳細な説明は省略するが、ＣＰＵ４０１は測光回路４２１、測距回路４２２からの測定データに基づいて、シャッタ回路４３２、絞り回路４３３、ＡＦ回路４３４を制御し、シャッタ装置４４２、絞り装置４４３、ＡＦ装置４４４を駆動してフィルムに対する撮影を実行する。なお、このレリーズシーケンスの間、ＣＰＵ４０１からＰＷＭ−Ｐ３信号が出力されている場合には、モータファン３６は回転駆動が継続されており、エアー室３２のエアーは継続して排出されているので、フィルムＦは圧板３１に吸着された状態が継続され、フィルムの平面性が保持される。
【００２７】
なお、エアー排出口３５からエアー通路３４内に外部光が侵入しても、遮光ルーバ３７によってエアー室３２にまで侵入することが遮光されるため、外部光がエアー室３２から吸気孔３３を通してフィルムＦに露光されることは防止される。また、塵埃は防塵フィルタ３８によって遮断されるため、塵埃がエアー通路３４及びエアー室３２に侵入されることはなく、さらに吸気孔３３を通してカメラ内部にまで侵入されることはない。
【００２８】
露光が完了されると、モータファン３６の駆動を停止する（Ｓ１０８）。そして、連写であるか否かを判定し（Ｓ１０９）、連写でない場合にはフィルム吸着解除フローを実行する（Ｓ１１０）。すなわち、図１３に示すように、ＣＰＵ４０１からドライバＩＣ４５１に予め設定されているＰＷＭ−Ｐ４信号を入力し（Ｓ３０１）、ドライバＩＣ４５１は当該ＰＷＭ−Ｐ４信号に対応する電圧をモータファン３６に供給し（Ｓ３０２）、モータファン３６をそれまでとは逆の方向に逆転駆動する（Ｓ３０３）。これにより、外部のエアーはエアー排出口３５、エアー通路３４を通してエアー室３２に供給され、エアー室３２のエアー圧は速やかに大気圧にまで復帰される。これにより、フィルムは圧板による吸着が解除される。しかる後、ＣＰＵ４０１はフィルム巻き上げ回路４３１を制御し、巻き上げモータ４４１によりフィルムを１駒分巻き上げる（Ｓ１１１）。このとき、フィルムＦは圧板３１に吸着されていないため、フィルムの巻き上げによってもフィルムの移送に伴う負荷を軽減し、高速の巻き上げが可能になる。フィルムの移送が終了した後は、モータファン３６の駆動を停止し（Ｓ１１２）、フローを終了する。なお、ステップＳ１０９において連写の場合には、フィルム吸着解除フローを行うことなくフィルム巻き上げステップＳ１１３を実行する。
【００２９】
なお、このフィルム吸着解除フローＳ１１０においては、モータファン３６の逆方向の回転をフィルム移送時においても継続させることで、エアー室３２のエアー圧を大気圧以上にまで上昇させ、このエアー室３２の圧力上昇によりエアー室３２内のエアーを吸気孔３３から吐出し、図４（ａ）に破線で示すように、圧板３１の表面に接していたフィルムＦをエアーの吐出圧によって圧板３１の表面から離すようにしてもよい。これにより、フィルムの移送に際しての負荷を更に低減して高速の巻き上げが可能になる。
【００３０】
前記実施形態では、ＣＰＵ４０１からＰＷＭ信号を出力してモータファン３６の回転数を制御していたが、ＣＰＵ４０１からは電圧に対応したデジタル信号を出力してモータファン３６を回転駆動するようにしてもよい。図１４はこれを実現する第２の実施形態の回路構成のブロック図であり、ファン回路部の構成が第１の実施形態と相違する他は図７と同一であるので、当該ファン回路部４５０Ａの構成のみを図示している。ここではファン回路部４５０Ａとして、ＣＰＵ４０１からは電圧パワーに対応したデジタル信号が出力され、このデジタル信号をＤ／Ａ変換器４５４でアナログ信号の出力Ｐｓにする。このＤ／Ａ出力Ｐｓは、エミッタがＶｃｃに接続され、コレクタにモータファン３６が接続されたトランジスタＴｒのベースにベース電流として入力され、当該トランジスタＴｒによって電圧Ｖｍがモータファン３６に供給される。また、トランジスタＴｒのコレクタ電流は当該モータファン３６の駆動電流としてのモータ電流Ｉｓとして検出され、このモータ電流ＩｓをＡ／Ｄ変換器４５５によってデジタル信号に変換してＣＰＵ４０１に入力する。また、ＣＰＵ４０１からの切り替え信号Ｋｓによって前記トランジスタＴｒに対するモータファン３６の極性を切り替えるための切り替えスイッチ４５６，４５７が接続されている。このファン回路部４５０Ａでは、モータファン３６の回転状態をモータ電流Ｉｓによって検出しているので、モータファン３６の構成としては、図６に示したようなインタラプタを備えていないモータファンを採用することが可能である。
【００３１】
この第２の実施形態での撮影動作は図８に示した第１の実施形態と同様であるが、フィルム吸着フローＳ１０３において、ＰＷＭ信号を用いるか、デジタル信号を用いるかで相違している。第２の実施形態のフィルム吸着フローは図１５に示すように、ＣＰＵ４０１からの切り替え信号Ｋｓにより切り替えスイッチ４５６，４５７でモータファン３６を正転方向に設定する（Ｓ４０１）。そして、予め設定された電圧に対応するデジタル信号がＤ／Ａ変換器４５４に入力され、対応するＤ／Ａ出力Ｐ１によってトランジスタＴｒで生じる電圧Ｖ１をモータファン３６に供給する（Ｓ４０２）。これにより、図１６にタイミング図を示すように、モータファン３６は電圧Ｖ１により回転駆動され、エアー室３２のエアー圧は徐々に減圧される。モータファン３６のモータ電流Ｉｓは立ち上げ電流から徐々に低下されて行くが、フィルムＦが吸着され始めることによって吸気孔３３が塞がれるために負荷が増大し、モータ電流Ｉｓは逆に増加され始める。予めフィルムが圧板３１に吸着されるまでの時間を実験により求めておき、この時間よりも若干長い時間をＴ１として設定しておき、モータファン３６の回転駆動を開始した時点からこのＴ１時間を経過したときに（Ｓ４０３）、モータ電流Ｉｓを検出し、このモータ電流Ｉｓを予め設定した基準モータ電流Ｉｃｋ１と比較する（Ｓ４０４）。この基準モータ電流Ｉｃｋ１は電圧Ｖ１でフィルムを吸着したときのモータ電流であり、予め実験により求めたものである。Ｉｓ＞Ｉｃｋ１のときにはフィルムが適正に吸着されたものと判定し、以降はフィルムが吸着されるのに十分なエアー排出能力を確保すればよく、Ｄ／Ａ出力Ｐｓを低下してエアー排出能力の低いＤ／Ａ出力Ｐ３に切り替える（Ｓ４０５）。これにより、モータファン３６に供給する電力を低減し、電池の消費電力を低減する。
【００３２】
一方、ステップＳ４０４において、Ｉｓ＞Ｉｃｋ１でないときには、モータ電流Ｉｓが低下されておらず、フィルムＦが圧板３１に完全に吸着されていないと判定される。このときには、図１７にタイミング図を示すように、Ｄ／Ａ出力Ｐ１よりも増大したエアー排出能力の高いＤ／Ａ出力Ｐ２に切り替える。これにより、モータファン３６のエアー排出能力が増大され、モータ電流Ｉｓは当該Ｄ／Ａ出力Ｐ２に対応したモータ電流まで増大される（Ｓ４０６）。そして、フィルムが圧板３１に適正に吸着されると、全ての吸気孔３３が塞がれてモータファン３６のエアー排出に伴う負荷が増大され、モータ電流Ｉｓは増大される。このとき、Ｄ／Ａ出力Ｐ２によってフィルムが圧板３１に吸着されるまでの時間を予め実験により求めておき、この時間よりも若干長い時間をＴ２として設定しておき、Ｄ／Ａ出力Ｐ２に切り替えた時点からこのＴ２時間を経過したときにモータ電流Ｉｓを検出し（Ｓ４０７）、この検出したモータ電流Ｉｓを予め設定した基準モータ電流Ｉｃｋ２と比較する（Ｓ４０８）。この基準モータ電流Ｉｃｋ２は電圧Ｖ２でフィルムを吸着したときのモータ電流であり、予め実験により求めたものである。Ｉｓ＞Ｉｃｋ２のときにフィルムが適正に吸着されたものと判定する。したがって、以降はフィルムが吸着されるのに十分なエアー排出動作を確保すればよく、前述したＤ／Ａ出力Ｐ３に切り替える（Ｓ４０５）。これにより、モータファン３６に供給する電力を低減し、電池の消費電力を低減する。
【００３３】
さらに、ステップＳ４０８において、Ｉｓ＞Ｉｃｋ２ではないときには、もはやフィルムＦを好適に圧板３１に吸着することは難しいものと判定し、図１８にタイミング図を示すように、Ｔ２時間を経過した時点でＣＰＵ４０１からの出力を停止し、モータファン３６の回転を停止させ、以降でのフィルム吸着動作を停止する（Ｓ４０９）。
【００３４】
以上の吸着フローが終了すると、第１の実施形態と同様に図８の撮影フローを実行するが、ここではその説明は省略する。この場合、第２の実施形態においてもフィルム吸着解除フローＳ１１０においては、モータファン３６の逆方向の回転を行うことで、エアー室３２のエアー圧を大気圧以上にまで上昇させ、このエアー室３２の圧力上昇によりエアー室３２内のエアーを吸気孔３３から吐出し、圧板３１の表面に接していたフィルムＦを圧板３１の表面から離すようにしてもよい。この場合には、フローの図示は省略するが、ＣＰＵ４０１から出力する切り替え信号Ｋｓを反転して切り替えスイッチ４５６，４５７によりトランジスタＴｒに対してモータファン３６の極性を逆方向に接続するようにすればよい。これにより、フィルムの移送に際しての負荷を更に低減して高速の巻き上げが可能になる。
【００３５】
この第２の実施形態では、ファン回路部４５０Ａに切り替えスイッチ４５６，４５７を備えることで構成要素が増大することになるが、第１の実施形態のようにインタラプタを備えるモータファンを使用する必要がなく、モータファンの小型化を図り、さらにはカメラの小型化を図る上で有利になる。
【００３６】
以上の説明において、本発明のエアー排出手段としてモータファンを用いた実施形態について説明したが、エアー室からのエアーの排出を行うことが可能な手段であれば、例えば、一般的にエアーポンプと称されるものを用いることも可能である。あるいは、モータファンとしてシロッコファン等の他の構成のファンを用いることも可能である。
【００３７】
また、本発明は前記実施形態の３５ミリフィルムを用いるカメラに限られるものではなく、ＡＰＳフィルムを用いるカメラ、ブローニフィルムを用いる中判カメラ等、巻き癖やカーリングが生じ易いロールフィルムを用いるカメラであれば同様に適用が可能であることは言うまでもない。例えば、ブローニフィルムを用いる中判カメラで、フィルムバックを備えるカメラでは、フィルムバックに本発明のエアー室やエアー排出手段を配設すればよい。
【００３８】
【発明の効果】
以上説明したように本発明は、圧板に設けた吸気孔においてフィルムを吸引するためのエアー排出手段を、当該フィルムの露光が行われる領域の背後を除く領域に配置しているので、圧板の背後のスペースを低減してカメラ前後方向の寸法を縮小し、小型カメラへの適用が可能になる。また、第１のエアー排出能力ではフィルムの吸着が行われないときには、エアー排出能力の大きい第２のエアー排出能力に切り替えることで、フィルムを吸着する可能性を高めることが可能になる。さらに、フィルムの吸着が行われたときには、エアー排出能力の小さい第３の排気能力に切り替えることで電池の消費を抑制することが可能になる。これにより、フィルムの平面性を高めるとともに、小型で、かつ消費電力の少ないカメラを提供することが可能になる。
【図面の簡単な説明】
【図１】本発明にかかるカメラの裏蓋を開いた状態の概略斜視図である。
【図２】裏蓋を背面側から見たエアー室及びエアー排出・供給手段の概略斜視図である。
【図３】カメラのほぼ中央高さ位置の水平方向の概略断面図である。
【図４】カメラのアパーチャのほぼ中央位置の垂直方向の概略断面図である。
【図５】遮光ルーバの一部を破断した斜視図である。
【図６】モータファンの概略斜視図である。
【図７】第１の実施形態の電気回路構成を示すブロック回路図である。
【図８】本発明の動作を説明するためのメインフローチャートである。
【図９】第１の実施形態のフィルム吸着フローのフロー図である。
【図１０】図９のフローにおける動作のタイミング図のその１である。
【図１１】図９のフローにおける動作のタイミング図のその２である。
【図１２】図９のフローにおける動作のタイミング図のその３である。
【図１３】フィルム吸着解除フローのフロー図である。
【図１４】第２の実施形態の電気回路構成を示すブロック回路図である。
【図１５】第２の実施形態のフィルム吸着フローのフロー図である。
【図１６】図１５のフローにおける動作のタイミング図のその１である。
【図１７】図１５のフローにおける動作のタイミング図のその２である。
【図１８】図１５のフローにおける動作のタイミング図のその３である。
【符号の説明】
１  カメラボディ
２  撮影レンズ
３  裏蓋
３１  圧板
３２  エアー室
３３  吸気孔
３４  エアー通路
３５  エアー排出口
３６  モータファン（エアー排出手段）
３７  遮光ルーバ
３８  塵埃フィルタ
４０１  ＣＰＵ
４５０，４５０Ａ  ファン回路部
Ｆ  フィルム
【図１】
2004219442.tif 000003
【図２】
2004219442.tif 000004
【図３】
2004219442.tif 000005
【図４】
2004219442.tif 000006
【図５】
2004219442.tif 000007
【図６】
2004219442.tif 000008
【図７】
2004219442.tif 000009
【図８】
2004219442.tif 000010
【図９】
2004219442.tif 000011
【図１０】
2004219442.tif 000012
【図１１】
2004219442.tif 000013
【図１２】
2004219442.tif 000014
【図１３】
2004219442.tif 000015
【図１４】
2004219442.tif 000016
【図１５】
2004219442.tif 000017
【図１６】
2004219442.tif 000018
【図１７】
2004219442.tif 000019
【図１８】
2004219442.tif 000020